(57)【特許請求の範囲】
【請求項１】
ロック部及びこのロック部に着脱可能に結合される連結具からなり、前記ロック部又は連結具の少なくとも一方に、支持バー部を備え、該支持バー部にベルトを巻回し結合させて前記ロック部及び連結具間に荷重伝達を行う分離装置において、
前記支持バー部の幅を、前記ベルトの幅よりも小さく形成し、
前記ベルトに、前記支持バー部に巻回し結合するための幅狭部を形成し、
前記幅狭部は、前記ベルトの両縁部をベルト幅方向へ折り返して結合しベルト幅方向両側に湾曲縁部を備え、
前記結合を、前記幅狭部のベルト長さ方向の中央部で行なうことにより、前記幅狭部の全長の半分の長さを、前記ベルトの幅よりも小さく形成した、
ことを特徴とする分離装置。
【請求項２】
請求項１記載の分離装置であって、
前記連結具は、前記ベルトとしてパラシュートのライザーに接続され、
前記ロック部は、前記ベルトとしてパラシュート装着者に装着されるパラシュートハーネスに接続される
ことを特徴とする分離装置。
【発明の詳細な説明】
【技術分野】
【０００１】
本発明は、パラシュート等に供される分離装置に関する。
【背景技術】
【０００２】
従来、この種の分離装置としては、特許文献１に記載のようなパラシュートに適用したものがある。
【０００３】
この分離装置では、ロック部に連結具であるタング部材が着脱可能に結合され、必要に応じてパラシュートを分離操作できるようになっている。  
この分離操作により、地上や海上に降下した後、風が強い場合等、パラシュートを人から速やかに分離して風の影響を受け難くすることができる。
【０００４】
このような分離装置において、図６のように、タング部材１０１はパラシュートのライザー１０３に接続され、ロック部との荷重伝達を可能としている。
【０００５】
しかし、このようなタング部材１０１及びライザー１０３の接続では、タング部材１０１の小型化に限界があった。
【０００６】
すなわち、ライザー１０３は、タング部材１０１の支持バー部１０５にそのままの幅で巻回し結合されている。
【０００７】
荷重Ｗが支持バー部１０５に等分布状に作用する場合、支持バー部１０５に働く曲げモーメントは、単位長さ当たりの荷重Ｐに比例し、支持バー部１０５の長さＬの２乗に比例する。全荷重が同一の場合単位長さ当たりの荷重Ｐは長さLに反比例する。従って全荷重が同一の場合、曲げモーメントは、支持バー部１０５の長さＬに比例する。  
この支持バー部１０５の長さＬは、ライザー１０３の幅Ｂに応じて確保する必要があり、長さＬに比例する曲げモーメントを受ける強度を確保するために、タング部材１０１の一定以上の小型化が困難であり、重量軽減にも限界があった。
【０００８】
【特許文献１】特開２００３−３２７１９９号公報
【発明の開示】
【発明が解決しようとする課題】
【０００９】
解決しようとする問題点は、連結具等の小型化、軽量化に限界があった点である。
【課題を解決するための手段】
【００１０】
本発明は、ロック部又は連結具の少なくとも一方をより小型化、軽量化するため、ロック部及びこのロック部に着脱可能に結合される連結具からなり、前記ロック部又は連結具の少なくとも一方に、支持バー部を備え、該支持バー部にベルトを巻回し結合させて前記ロック部及び連結具間に荷重伝達を行う分離装置において、前記支持バー部の幅を、前記ベルトの幅よりも小さく形成し、前記ベルトに、前記支持バー部に巻回し結合するための幅狭部を形成し、前記幅狭部は、前記ベルトの幅方向両縁部をベルト幅方向へ折り返して結合しベルト幅方向両側に連続的な湾曲縁部を備え、前記結合を、前記幅狭部のベルト長さ方向の中央部で行なうことにより、前記幅狭部の全長の半分の長さを、前記ベルトの幅よりも小さく形成したことを特徴とする。
【発明の効果】
【００１１】
本発明は、ロック部及びこのロック部に着脱可能に結合される連結具からなり、前記ロック部及び連結具の少なくとも一方に、支持バー部を備え、該支持バー部にベルトを巻回し結合させて前記ロック部及び連結具間に荷重伝達を行う分離装置において、前記支持バー部の幅を、前記ベルトの幅よりも小さく形成し、前記ベルトに、前記支持バー部に巻回し結合するための幅狭部を形成し、前記幅狭部は、前記ベルトの幅方向両縁部をベルト幅方向へ折り返して結合しベルト幅方向両側に連続的な湾曲縁部を備え、前記結合を、前記幅狭部のベルト長さ方向の中央部で行なうことにより、前記幅狭部の全長の半分の長さを、前記ベルトの幅よりも小さく形成したため、ベルトの幅に比較して支持バー部の長さを短くすることができ、荷重伝達時に支持バー部に働く曲げモーメントをより小さくし、ロック部又は連結具の少なくとも一方のより小型化、軽量化を図ることができる。
【発明を実施するための最良の形態】
【００１２】
ロック部又は連結具の少なくとも一方をより小型化、軽量化するという目的を、ベルトに幅狭部を形成して実現した。
【実施例１】
【００１３】
［分離装置の構造］
図１〜図５は、本発明の実施例１に係り、図１は、分離装置を適用したパラシュートを人に装着した状態の概略図、図２（ａ）は、分離装置周辺の正面図、図２（ｂ）は、分離装置周辺の側面図、図３は、ロック部の分離状態を示す斜視図、図４は、パラシュートハーネスの支持バー部に対する巻回し結合を示し、（ａ）は、べース金具の支持バー部を示す要部正面図、（ｂ）は、幅狭部を示すパラシュートハーネスの要部正面図、図５は、ライザーの支持バー部に対する巻回し結合を示し、（ａ）は、幅狭部を示すライザーの要部正面図、（ｂ）は、タング部材の正面図である。
【００１４】
図１のように、分離装置１は、パラシュート３に用いられ、ライザー５及びパラシュートハーネス７に接続されている。ライザー５は、パラシュート３のキャノピー部９に接続されている。パラシュートハーネス７は、パラシュート装着者Ｍに装着固定される。
【００１５】
分離装置１は、図２のように、ロック部１１及び連結具であるタング部材１３とからなっている。
【００１６】
ロック部１１は、タング部材１３を着脱可能に結合し、タング部材１３との間で荷重伝達を行うと共に、タング部材１３の速やかな分離を可能としている。  ロック部１１の概要構造は、図２，図３のようになっている。ロック部１１は、ベース金具１５に、ロック金具１７及びカバー金具１９を支持している。
【００１７】
ロック金具１７及びカバー金具１９は、ベース金具１５に軸２１を介し同軸状に回転自在に支持されている。タング部材１３の結合状態では、ロック金具１７がベース金具１５及びカバー金具１９間に収納され、カバー金具１９がベース金具１５に両側の解除操作部２３の爪により図２の位置で係合ロックしている。タング部材１３には、分離操作用のループワイヤ２５が取り付けられている。
【００１８】
図２〜図４のように、ベース金具１５の支持バー部２７に、前記パラシュートハーネス７が巻回し結合され、本実施例ではパラシュートハーネス７の肩ベルト２９が、ベース金具１５ではなく、支持バー部２７の近傍でパラシュートハーネス７のハーネス本体３１に直接結合されている。肩ベルト２９のハーネス本体３１に対する結合は、例えば縫製で行われている。ベース金具１５には、保持ベルト３３が取り付けられ、肩ベルト２９をベース金具１５に対して支持し、肩ベルト２９がロック部１１から離れないようにしている。この場合、肩ベルト２９からの荷重は、ハーネス本体３１に入力され、保持ベルト３３には、肩ベルト２９がベース金具１５から離れない程度の荷重が作用するだけであり、保持ベルト３３及びベース金具１５の保持ベルト３３を取り付けた部分の強度はそれほど必要がない。従って、ベース金具１５の小型化、軽量化を図ることができる。しかも、ベース金具１５に、肩ベルト２９を直接取り付ける保持部を形成する必要がなく、ベース金具１５の形状を単純化することができ、型による成形も容易となる。
【００１９】
パラシュートハーネス７の支持バー部２７に対する巻回し結合は、図４のようになっている。  
ベース金具１５の支持バー部２７は、ハーネス挿通口３５に渡って幅Ｌ１を有している。この支持バー部２７の長さＬ１は、ベルトであるパラシュートハーネス７のハーネス本体３１の幅Ｂ１よりも小さく形成されている。ハーネス本体３１には、支持バー部２７に巻回し結合するための幅狭部３７が形成されている。幅狭部３７は、幅Ｂ２に形成されている。幅Ｂ２は、支持バー部７の長さＬ１と同一か、僅かに小さく形成されている。幅狭部３７は、ハーネス本体３１を幅方向に折り返して形成され、縫製部３９等により保持されている。
【００２０】
ハーネス本体３１は、幅狭部３７においてベース金具１５の支持バー部２７に図２のように巻回し結合されている。
【００２１】
従って、ハーネス本体３１の幅Ｂ１に比較してベース金具１５の支持バー部２７の長さＬ１を短くすることができ、荷重伝達時に支持バー部２７に働く曲げモーメントをより小さくし、ベース金具１５のより小型化、軽量化を図ることできる。
【００２２】
タング部材１３は、図５のように先端側にロック口４１が形成され、基端側にライザー５のライザー挿通口４３が形成されている。ライザー挿通口４３に沿って長さＬ２の支持バー部４５が設けられている。
支持バー部４５の長さＬ２は、ベルトであるライザー５の幅Ｂ３よりも小さく形成されている。ライザー５には、支持バー部４５に巻回し結合するための幅狭部４７が形成されている。幅狭部４７は、幅Ｂ４に形成されている。幅Ｂ４は、支持バー部４５の長さＬ２と同一か、僅かに小さく形成されている。幅狭部４７は、ライザー５を幅方向に折り返して形成され、縫製部４９等により保持されている。
【００２３】
ライザー５は、幅狭部４７において、タング部材１３の支持バー部４５に図２のように巻回し結合されている。
【００２４】
従って、ライザー５の幅Ｂ３に比較してタング部材１３の支持バー部４５の長さＬ２を短くすることができ、荷重伝達時に支持バー部４５に働く曲げモーメントをより小さくし、タング部材１３のより小型化、軽量化を図ることできる。
【００２５】
［分離操作］
分離操作に際しては、カバー金具１９の解除操作部２３を両側から押圧操作し、
カバー金具１９を軸２１を中心に図３のように開く。この状態で、図２の位置でタング部材１３をロックしているロック金具１７が露出する。降下者（装着者）は、ロック金具１７のループワイヤ２５を引いて軸２１回りに図３の状態のように回転させる。
【００２６】
ロック金具１７を回転させるとロック金具１７のロック爪がタング部材１３のロック口４１から外れ、タング部材１３がロック部１１から離脱する。この離脱によりライザー５からパラシュートハーネス７を分離させることができる。
【００２７】
［実施例１の効果］
本発明の実施例１では、ロック部１１及びこのロック部１１に着脱可能に結合されるタング部材１３からなり、前記ロック部１１及びタング部材１３の少なくとも一方に、支持バー部２７，４５を備え、該支持バー部２７，４５にライザー５、パラシュートハーネス７を巻回し結合させて前記ロック部１１及びタング部材１３間に荷重伝達を行う分離装置１において、前記支持バー部２７，４５の幅Ｌ１，Ｌ２を、前記ライザー５、パラシュートハーネス７の幅Ｂ１，Ｂ３よりも小さく形成し、前記ライザー５、パラシュートハーネス７に、前記支持バー部２７，４５に巻回し結合するための幅狭部３７，４７を形成したため、ライザー５、パラシュートハーネス７の幅Ｂ１，Ｂ３に比較して支持バー部２７，４５の長さを短くすることができ、荷重伝達時に支持バー部２７，４５に働く曲げモーメントをより小さくし、ロック部１１又はタング部材１３の少なくとも一方のより小型化、軽量化を図ることができる。
【００２８】
ライザー５、パラシュートハーネス７の幅狭部３７，４７は、前記ライザー５、パラシュートハーネス７を幅方向に折り返して形成したため、幅狭部３７，４７を容易に形成することができる。
［その他］
上記実施例では、ロック部１１及びタング部材１３双方に幅狭部３７，４７を形成して支持バー部２７，４５の長さＬ１，Ｌ２を短くしたが、この寸法関係はロック部１１又はタング部材１３の何れか一方のみに適用することもできる。
【００２９】
幅狭部３７，４７は、幅方向の折り返しに限らず、強度を維持できる限り他の手段で形成することもできる。
【００３０】
保持ベルト３３は、肩ベルト２９を保持できれば良く、その他の構造にすることもできる。例えば、ベース金具１５に肩ベルト２９を挿通させる挿通部を一体に設けても良い。この挿通部には、肩ベルト２９からそれほど荷重が作用しないので、小型化、軽量化を図ることができる。
【図面の簡単な説明】
【００３２】
【図１】分離装置を適用したパラシュートを人に装着した状態の概略図である（実施例１）。
【図２】（ａ）は、分離装置周辺の正面図、（ｂ）は、分離装置周辺の側面図である（実施例１）。
【図３】ロック部の分離状態を示す斜視図である（実施例１）。
【図４】パラシュートハーネスの支持バー部に対する巻回し結合を示し、（ａ）は、ベース金具の支持バー部を示す要部正面図、（ｂ）は、幅狭部を示すパラシュートハーネスの要部正面図である（実施例１）。
【図５】ライザーの支持バー部に対する巻回し結合を示し、（ａ）は、幅狭部を示すライザーの要部正面図、（ｂ）は、タング部材の正面図である（実施例１）。
【図６】ライザーとタング部材との関係の正面図である（従来例）。
【符号の説明】
【００３３】
１  分離装置
３  パラシュート
５  ライザー（ベルト）
７  パラシュートハーネス（ベルト）
１１  ロック部
１３  タング部材（連結具）
２７，４５  支持バー部
３７，４７  幅狭部
Ｍ  パラシュート装着者
【図１】
0005398109.tif 000002
【図２】
0005398109.tif 000003
【図３】
0005398109.tif 000004
【図４】
0005398109.tif 000005
【図５】
0005398109.tif 000006
【図６】
0005398109.tif 000007